(57)【特許請求の範囲】
【請求項１】
映像信号及び音声信号を再生する再生装置と、
映像表示及び音声出力を行う表示デバイスからなるテレビモニター装置であって、前記再生装置の動作を制御する第１の制御装置と、
前記表示デバイスを制御する第２の制御装置と、
前記第１の制御装置と前記第２の制御装置との間で前記再生装置及び前記表示デバイスの動作状態を相互に通信するためのバスと、
入力された映像信号と音声信号から前記第２の制御装置の制御に基づき選択された映像信号と音声信号を出力する信号選択装置と、
前記信号選択装置から出力された映像信号の映像コントラストを前記第２の制御装置により前記再生装置の動作が静止状態の場合に低下させる様に制御する映像コントロール装置と、
前記第２の制御装置により前記再生装置の動作が停止状態または一時停止状態の場合に前記表示デバイスの電源供給を最低状態の電力に制御する電源制御装置と、
前記信号選択装置から出力される音声信号の出力を前記第２の制御装置により制御する音声制御装置、
により構成されるテレビモニター装置。
【請求項２】
映像信号及び音声信号を再生する再生装置と、
映像表示及び音声出力を行う表示デバイスからなるテレビモニター装置であって、
前記再生装置の動作を制御する第１の制御装置と、
前記表示デバイスを制御する第２の制御装置と、
前記第１の制御装置と前記第２の制御装置との間で前記再生装置及び前記表示デバイスの動作状態を相互に通信するためのバスと、
入力された映像信号と音声信号から前記第２の制御装置の制御に基づき選択された映像信号と音声信号を出力する信号選択装置と、
前記信号選択装置から出力された映像信号の映像コントラストを前記第２の制御装置により前記再生装置の動作が静止状態の場合に低下させる様に制御する映像コントロール装置と、
前記第２の制御装置により前記再生装置の動作が静止状態の場合に映像コントラストを低下した保護状態にあることを明示する為のメッセージを表示する様に制御されるオンスクリーン信号発生装置と、
前記映像コントロール装置から出力された映像信号と前記オンスクリーン信号発生装置で作成されたオンスクリーン信号（以下、ＯＳＤ信号）とを切り替えて合成する合成装置と、
前記第２の制御装置により前記再生装置の動作が停止状態または一時停止状態の場合に前記表示デバイスの電源供給を最低状態の電力に制御する電源制御装置と、
前記信号選択装置から出力される音声信号の出力を前記第２の制御装置により制御する音声制御装置、
とにより構成されるテレビモニター装置。
【請求項３】
映像信号及び音声信号を再生する再生装置と、
映像表示及び音声出力を行う表示デバイスからなるテレビモニター装置であって、
前記再生装置の動作を制御する第１の制御装置と、
前記表示デバイスを制御する第２の制御装置と、
前記第１の制御装置と前記第２の制御装置との間で前記再生装置及び前記表示デバイスの動作状態を相互に通信するためのバスと、
前記再生装置から出力された映像信号と音声信号を前記第２の制御装置の制御に基づき任意のタイミングで遮断するＢＬＫ装置と、
入力された映像信号と音声信号から前記第２の制御装置の制御に基づき選択された映像信号と音声信号を出力する信号選択装置と、
前記信号選択装置から出力された映像信号の映像コントラストを前記第２の制御装置により前記再生装置の動作が静止状態の場合に低下させる様に制御する映像コントロール装置と、
前記第２の制御装置により前記再生装置の動作が静止状態の場合に映像コントラストを低下した保護状態にあることを明示する為のメッセージを表示する様に制御されるオンスクリーン信号発生装置と、
前記映像コントロール装置から出力された映像信号と前記ＯＳＤ信号発生装置で作成されたＯＳＤ信号とを切り替えて合成する合成装置と、
前記第２の制御装置により前記再生装置の動作が停止状態または一時停止状態の場合に前記表示デバイスの電源供給を最低状態の電力に制御する電源制御装置と、
前記信号選択装置から出力される音声信号の出力を前記第２の制御装置により制御する音声制御装置、とにより構成されるテレビモニター装置。
【請求項４】
第１の制御装置と第２の制御装置との間で再生装置及び表示デバイスの動作状態を相互に通信するためのバス上に、前記動作状態を記憶するメモリを有することを特徴とする請求項１乃至請求項３のいずれかに記載のテレビモニター装置。
【発明の詳細な説明】
【０００１】
【発明の属する技術分野】
本発明は、ＤＶＤ、ビデオＣＤ等の光ディスクやＶＴＲ等の再生装置を内蔵したテレビまたはモニターや、ＤＶＤ、ビデオＣＤ等の光ディスクやＶＴＲ等の再生装置とテレビまたはモニターを同時に制御可能な制御装置を備えたシステムに関するものである。
【０００２】
【従来の技術】
従来のＶＴＲ等の再生装置を内蔵したテレビジョン受信機では、例えば、特開平７−２４０８８２号公報に示すように、テレビジョン受信機の制御装置が切り替えスイッチと再生装置の制御を共に行う構成により、再生装置が動作中で、且つ、切り替えスイッチが再生装置の映像信号を選択している時、切り替えスイッチの選択をＴＶチューナ側に切り替えた場合、再生装置の動作が一時停止状態になる等、再生装置の画像表示とＴＶ放送番組の画像表示との切り替えを簡単な操作で瞬時に行えるようにしていた。
【０００３】
また、従来の外部装置を制御するテレビジョン受信機では、例えば、実用新案出願公報昭６０−４７３７３に示すように、テレビジョン受信機が、リモコン信号を出力する端子を備える構成により、テレビのリモコン信号で外部装置を制御可能にしていた。
【０００４】
【発明が解決しようとする課題】
このように、テレビジョン受信機の制御装置がテレビジョン受信機の制御に同期して、切り替えスイッチと再生装置の制御を共に行う構成のみでは、再生装置の動作状態（制御信号受信待機状態、静止画状態や停止状態等）に最適なテレビジョン受信機の画面表示状態や音声出力状態に制御することができず、テレビまたはモニターの表示デバイスであるＣＲＴ蛍光面の焼け付き、発光特性の劣化等を発生させてしまう恐れがあり、また、使用者にとって不必要な回路を動作させている等、省電力化に対して課題があった。なお、表示デバイスとして、液晶等を用いた場合においても同様である。また、表示デバイスとして、ＣＲＴ方式のプロジェクターを用いた場合には、熱によるレンズコーティングの劣化を発生させてしまう恐れがあった。
【０００５】
【課題を解決するための手段】
前記課題を解決するために、本発明のテレビモニター装置では、前記各再生装置の動作を制御する制御装置と表示デバイスを制御する制御装置とが相互に通信することにより、前記各再生装置の動作状態を表示デバイスを制御する制御装置が認識し、映像コントラストを制御する映像コントロール回路等を制御することにより、最適なテレビジョン受信機の画面表示状態や音声出力状態及び電源回路動作状態、再生装置制御状態に制御することを特徴としたものである。
【０００６】
本発明によれば、テレビまたはモニターの表示デバイスであるＣＲＴ蛍光面の焼け付き、発光特性の劣化等を防止することができると共に、使用者にとって不必要な回路を動作させている場合には、前記不必要な回路の動作を制御し、省電力化を図ることができるテレビモニター装置を提供できる。
【０００７】
なお、表示デバイスとして、液晶等を用いた場合においても同様である。また、表示デバイスとして、ＣＲＴ方式のプロジェクターを用いた場合には、熱によるレンズコーティングの劣化を防止することができるテレビモニター装置を提供できる。
【０００８】
【発明の実施の形態】
本発明の請求項１に記載の発明は、テレビモニター装置において、ＤＶＤ、ビデオＣＤ等の光ディスクやＶＴＲ等の再生装置の動作を制御する制御装置と、表示デバイス装置を制御する制御装置とを相互通信可能なバスで接続して前記再生装置と表示デバイス装置の動作状態を互いに認識可能なシステム構成、または、一方が両方の動作状態を認識可能なシステム構成とし、前記再生装置の動作状態が、制御信号受信待機状態、静止状態や停止状態等であり、表示デバイスであるＣＲＴ蛍光面の焼け付き、発光特性の劣化等を発生させてしまう恐れがある場合には、前記再生装置の動作状態をバスにより前記表示デバイス装置を制御する制御装置に知らせることにより、前記再生装置の動作状態に応じて前記表示デバイス装置を制御する制御装置により制御される映像コントロール装置を制御することにより、前記再生装置の動作状態に最適な表示デバイス装置の画面表示状態を実現できるという作用を有する。
【０００９】
例えば、前記再生装置の動作状態が静止状態においては、前記表示デバイス装置に静止画映像が受像され、前記表示デバイスであるＣＲＴ蛍光面の焼け付き発生の恐れがあるため、前記再生装置の動作状態が静止状態であることをバスにより前記表示デバイス装置を制御する制御装置に知らせることにより、前記表示デバイス装置を制御する制御装置は、静止状態の継続時間をカウントし、任意の時間だけ継続して場合には、前記表示デバイス装置を制御する制御装置により制御される映像コントロール回路を制御することにより、映像コントラストを低下させることにより、ＣＲＴ蛍光面の焼け付きを防止するという作用を有する。
【００１０】
また、前記再生装置の動作状態が音楽ＣＤ再生状態においては、テレビモニター装置の機能のうち音声に関係する機能以外については、使用者にとって不必要である場合があるため、前記再生装置の動作状態が音楽ＣＤ再生状態であることをバスにより前記表示デバイス装置を制御する制御装置に知らせることにより、前記表示デバイス装置を制御する制御装置は、映像コントロール回路や音声制御回路や電源制御回路をそれぞれ制御することにより、音声に関係する機能以外の回路及び装置に供給する電力を最低状態に制御することにより、省電力化を図るという作用を有する。
【００１１】
本発明の請求項２に記載の発明は、テレビモニター装置において、ＤＶＤ、ビデオＣＤ等の光ディスクやＶＴＲ等の再生装置の動作を制御する制御装置と、表示デバイス装置を制御する制御装置とを相互通信可能なバスで接続して前記再生装置と表示デバイス装置の動作状態を互いに認識可能なシステム構成、または、一方が両方の動作状態を認識可能なシステム構成とし、前記再生装置の動作状態が、制御信号受信待機状態、静止状態や停止状態等であり、表示デバイスであるＣＲＴ蛍光面の焼け付き、発光特性の劣化等を発生させてしまう恐れがある場合には、前記再生装置の動作状態をバスにより前記表示デバイス装置を制御する制御装置に知らせることにより、前記再生装置の動作状態に応じて前記表示デバイス装置を制御する制御装置により制御される映像コントロール装置を制御することにより、前記再生装置の動作状態に最適な表示デバイス装置の画面表示状態を実現できるという作用を有する。
【００１２】
例えば、前記再生装置の動作状態が静止状態においては、前記表示デバイス装置に静止画映像が受像され、前記表示デバイスであるＣＲＴ蛍光面の焼け付き発生の恐れがあるため、前記再生装置の動作状態が静止状態であることをバスにより前記表示デバイス装置を制御する制御装置に知らせることにより、前記表示デバイス装置を制御する制御装置は、静止状態の継続時間をカウントし、任意の時間だけ継続して場合には、前記表示デバイス装置を制御する制御装置により制御されるＯＳＤ信号発生回路と、映像信号と前記ＯＳＤ信号発生回路で作成されたＯＳＤ信号とを切り替えて合成する合成回路とにより、静止している映像信号と任意のＯＳＤ信号とを切り替えることにより、ＣＲＴ蛍光面の焼け付きを防止するという作用を有する。
【００１３】
また、前記再生装置の動作状態が音楽ＣＤ再生状態においては、前記請求等２に記載の発明の動作説明と同様の動作を行い、省電力化を図るという作用を有すると共に、使用者に対して音楽ＣＤ再生中であることを示すＯＳＤ表示を行い、表示デバイス装置が動作していることを明示する作用を有する。
【００１４】
本発明の請求項３に記載の発明は、テレビモニター装置において、ＤＶＤ、ビデオＣＤ等の光ディスクやＶＴＲ等の再生装置の動作を制御する制御装置と、表示デバイス装置を制御する制御装置とを相互通信可能なバスで接続して前記再生装置と表示デバイス装置の動作状態を互いに認識可能なシステム構成、または、一方が両方の動作状態を認識可能なシステム構成とし、前記再生装置の動作状態が、制御信号受信待機状態、静止状態や停止状態等であり、表示デバイスであるＣＲＴ蛍光面の焼け付き、発光特性の劣化等を発生させてしまう恐れがある場合には、前記再生装置の動作状態をバスにより前記表示デバイス装置を制御する制御装置に知らせることにより、前記再生装置の動作状態に応じて前記表示デバイス装置を制御する制御装置により制御される映像コントロール装置を制御することにより、前記再生装置の動作状態に最適な表示デバイス装置の画面表示状態を実現できるという作用を有する。
【００１５】
例えば、前記再生装置の動作状態が静止状態においては、前記表示デバイス装置に静止画映像が受像され、前記表示デバイスであるＣＲＴ蛍光面の焼け付き発生の恐れがあるため、前記再生装置の動作状態が静止状態であることをバスにより前記表示デバイス装置を制御する制御装置に知らせることにより、前記表示デバイス装置を制御する制御装置は、静止状態の継続時間をカウントし、任意の時間だけ継続している場合には、前記表示デバイスを制御する制御装置により制御される映像ＢＬＫ回路が動作することにより、前記再生装置からの映像信号を電送途中でストップさせ、前記表示デバイス装置を制御する制御装置により制御されるＯＳＤ信号発生回路と、映像信号と前記ＯＳＤ信号発生回路で作成されたＯＳＤ信号とを切り替えて合成する合成回路とにより、静止している映像信号と任意のＯＳＤ信号とを切り替えることにより、ＣＲＴ蛍光面の焼け付きを防止すると共に使用者に対してＣＲＴ保護状態にあることを明示するという作用を有する。
【００１６】
また、前記再生装置の動作状態が音楽ＣＤ再生状態においては、前記請求等３に記載の発明の動作説明と同様の動作を行い、省電力化を図るという作用を有すると共に、使用者に対して音楽ＣＤ再生中であることを示すＯＳＤ表示を行い、表示デバイス装置が動作していることを明示する作用を有する。
【００１７】
本発明の請求項４に記載の発明は、テレビモニター装置において、ＤＶＤ、ビデオＣＤ等の光ディスクやＶＴＲ等の再生装置の動作を制御する制御装置と、表示デバイス装置を制御する制御装置とを相互通信可能なバスで接続して前記再生装置と表示デバイス装置の動作状態を互いに認識可能なシステム構成、または、一方が両方の動作状態を認識可能なシステム構成とし、前記再生装置の動作状態が、制御信号受信待機状態、静止状態や停止状態等であり、表示デバイスであるＣＲＴ蛍光面の焼け付き、発光特性の劣化等を発生させてしまう恐れがある場合には、前記再生装置の動作状態をバスにより前記表示デバイス装置を制御する制御装置に知らせることにより、前記再生装置の動作状態に応じて前記表示デバイス装置を制御する制御装置により制御される映像コントロール装置を制御することにより、前記再生装置の動作状態に最適な表示デバイス装置の画面表示状態を実現できるという作用を有する。
【００１８】
例えば、前記再生装置の動作状態が静止状態においては、前記表示デバイス装置に静止画映像が受像され、前記表示デバイスであるＣＲＴ蛍光面の焼け付き発生の恐れがあるため、前記再生装置の動作状態が静止状態であることをバスにより前記表示デバイス装置を制御する制御装置に知らせることにより、前記表示デバイス装置を制御する制御装置は、静止状態の継続時間をカウントし、任意の時間だけ継続している場合には、ＯＳＤ信号発生機能を有する前記表示デバイス装置を制御する制御装置によりＯＳＤ信号が出力され、映像コントラストを制御し、且つ映像信号とＯＳＤ信号とを切り替えて合成する機能を有する映像コントロール回路で静止している映像信号と任意のＯＳＤ信号とを切り替えることにより、ＣＲＴ蛍光面の焼け付きを防止すると共に使用者に対してＣＲＴ保護状態にあることを明示するという作用を有する。
【００１９】
また、前記再生装置の動作状態が音楽ＣＤ再生状態においては、前記請求等３に記載の発明の動作説明と同様の動作を行い、省電力化を図るという作用を有すると共に、使用者に対して音楽ＣＤ再生中であることを示すＯＳＤ表示を行い、表示デバイス装置が動作していることを明示する作用を有する。
【００２４】
以下、本発明の実施の形態について、図１から図６を用いて説明する。
（実施の形態１）
図１は請求項１に記載のテレビモニター装置のブロック構成図を示す。図１において再生装置の動作を制御する制御装置１と表示デバイスを制御する制御装置２とは、通信バス３により接続され、相互に通信可能であり、互いの制御対象の動作状態が認識できる作用を有する。前記制御装置１は、再生装置９の動作を制御する作用を有する。前記再生装置の出力装置４から出力された映像信号と音声信号は、前記制御装置２により制御される信号選択装置５に入力され、前記信号選択装置５により選択された映像信号は、映像コントロール装置８に入力され、映像増幅装置１１で増幅され、ＣＲＴ１２で表示されるような構成であり、ＣＲＴ１２で表示される映像設定状態は、前記制御装置２で制御されるという作用を有する。また、前記信号選択装置５により選択された音声信号は、音声制御装置６に入力されて音声出力装置１３に出力するという構成であり、音声出力設定は前記制御装置２で制御されるという作用を有する。また、前記制御装置２は、電源制御装置７を制御する構成である。また、コントロールパネル又はリモコン信号送信部１０は、前記制御装置１又は前記制御装置２に接続され、前記制御装置１及び前記制御装置２を制御するという作用を有する。
【００２５】
前記信号選択装置５により前記再生装置の出力装置４から出力された映像信号と音声信号が選択された状態で、且つ、前記再生装置９の動作状態が静止状態（スチル状態）においては、前記再生装置９の動作状態が静止状態であることを制御装置１が認識し、バス３により制御装置２に知らせることにより、制御装置２は、静止状態の継続時間をカウントし、任意の時間だけ継続している場合には、前記ＣＲＴ１２に静止画映像が受像されているので、ＣＲＴ蛍光面の焼け付き発生の恐れがあるため、映像コントロール装置８を制御することにより、映像コントラストを低下させ、ＣＲＴ蛍光面の焼け付きを防止するという作用を有する。
【００２６】
また、前記信号選択装置５により前記再生装置の出力装置４から出力された映像信号と音声信号が選択された状態で、且つ、前記再生装置１０の動作状態が停止状態または一時停止状態においては、前記再生装置９の動作状態が停止状態または一時停止状態であることを制御装置１が認識し、バス３により制御装置２に知らせることにより、制御装置２は、停止状態または一時停止状態の継続時間をカウントし、任意の時間だけ継続している場合には、使用者がテレビモニター装置を使用していない状態であると判断し、電源制御装置７を制御することにより、任意の電源動作状態に制御し、任意の各装置に供給する電力を最低状態に制御することにより、省電力化を図るという作用を有する。
【００２７】
また、前記再生装置９の動作状態が音楽ＣＤ再生状態においては、テレビモニター装置の機能のうち音声に関係する機能以外については、使用者にとって不必要である場合があるため、前記再生装置９の動作状態が音楽ＣＤ再生状態であることをバス３により制御装置２に知らせることにより、制御装置２は、映像コントロール装置８や音声制御装置６や電源制御装置７をそれぞれ制御することにより、音声に関係する機能以外の回路及び装置に供給する電力を最低状態に制御することにより、省電力化を図るという作用を有する。
【００２８】
（実施の形態２）
図２は請求項２に記載のテレビモニター装置のブロック構成図を示す。図２において再生装置の動作を制御する制御装置２７と表示デバイスを制御する制御装置１５とは、通信バス１４により接続され、相互に通信可能であり、互いの制御対象の動作状態が認識できる作用を有する。ＯＳＤ信号発生装置２０は、前記制御装置１５により制御され、任意のＯＳＤ信号を発生する作用を有する。前記制御装置２７は、再生装置２６の動作を制御する作用を有する。前記再生装置の出力装置１６から出力された映像信号と音声信号は、前記制御装置１５により制御される信号選択装置１７に入力され、前記信号選択装置１７により選択された映像信号は、映像コントロール装置２１に入力され、前記映像コントロール装置で制御された映像信号は、前記ＯＳＤ信号発生装置２０で発生されたＯＳＤ信号と合成装置２２で合成され、映像増幅装置２３で増幅され、ＣＲＴ２４で表示されるような構成であり、ＣＲＴ２４で表示される映像設定状態は、前記制御装置２で制御されるという作用を有する。また、前記信号選択装置１７により選択された音声信号は、音声制御装置１８に入力されて音声出力装置２８に出力するという構成であり、音声出力設定は前記制御装置１５で制御されるという作用を有する。また、前記制御装置１５は、電源制御装置１９を制御する構成である。また、コントロールパネル又はリモコン信号送信部２５は、前記制御装置２７又は前記制御装置１５に接続され、前記制御装置２７及び前記制御装置１５を制御するという作用を有する。
【００２９】
前記信号選択装置１７により前記再生装置の出力装置１６から出力された映像信号と音声信号が選択された状態で、且つ、前記再生装置２６の動作状態が静止状態（スチル状態）においては、前記再生装置２６の動作状態が静止状態であることを制御装置２７が認識し、バス１４により制御装置１５に知らせることにより、制御装置１５は、静止状態の継続時間をカウントし、任意の時間だけ継続している場合には、前記ＣＲＴ２４に静止画映像が受像されているので、ＣＲＴ蛍光面の焼け付き発生の恐れがあるため、映像コントロール装置２１を制御することにより、映像コントラストを低下させ、ＣＲＴ蛍光面の焼け付きを防止し、前記ＯＳＤ信号発生装置２０を制御し、ＣＲＴ保護状態になっていることを使用者に明示するためのメッセージを出力するという作用を有する。なお、前記映像コントロール装置２１を制御するのではなく、前記ＯＳＤ信号発生装置２０を制御し、ＣＲＴ蛍光面の焼け付きが発生しないように、ＣＲＴ画面上に適度な輝度と動きを有するＯＳＤ信号を表示することにより、ＣＲＴ蛍光面の焼け付きを防止するという方法もある。
【００３０】
また、前記信号選択装置１７により前記再生装置の出力装置１６から出力された映像信号と音声信号が選択された状態で、且つ、前記再生装置２６の動作状態が停止状態または一時停止状態においては、前記再生装置２６の動作状態が停止状態または一時停止状態であることを制御装置２７が認識し、バス１４により制御装置１５に知らせることにより、制御装置１５は、停止状態または一時停止状態の継続時間をカウントし、任意の時間だけ継続している場合には、使用者がテレビモニター装置を使用していない状態であると判断し、電源制御装置１９を制御することにより、任意の電源動作状態に制御し、任意の各装置に供給する電力を最低状態に制御することにより、省電力化を図るという作用を有する。
【００３１】
また、前記再生装置２６の動作状態が音楽ＣＤ再生状態においては、テレビモニター装置の機能のうち音声に関係する機能以外については、使用者にとって不必要である場合があるため、前記再生装置２６の動作状態が音楽ＣＤ再生状態であることをバス１４により制御装置１５に知らせることにより、制御装置１５は、映像コントロール装置２１や音声制御装置１８や電源制御装置１９をそれぞれ制御することにより、音声に関係する機能以外の回路及び装置に供給する電力を最低状態に制御することにより、省電力化を図るという作用を有する。
【００３２】
（実施の形態３）
図３は請求項３に記載のテレビモニター装置のブロック構成図を示す。図３において再生装置の動作を制御する制御装置４２と表示デバイスを制御する制御装置４３とは、通信バス２９により接続され、相互に通信可能であり、互いの制御対象の動作状態が認識できる作用を有する。ＯＳＤ信号発生装置３５は、前記制御装置４３により制御され、任意のＯＳＤ信号を発生する作用を有する。前記制御装置４２は、再生装置４１の動作を制御する作用を有する。ＢＬＫ装置３１は、前記制御装置４３により制御され、任意のタイミングで前記再生装置の出力装置３０から出力された映像信号と音声信号を遮断する作用を有する。前記再生装置の出力装置３０から出力された映像信号と音声信号は、前記制御装置４３により制御されるＢＬＫ装置３１に入力され、ＢＬＫ装置３１から出力された映像信号と音声信号は、信号選択装置３２に入力され、前記信号選択装置３２により選択された映像信号は、映像コントロール装置３３に入力され、前記映像コントロール装置で制御された映像信号は、前記ＯＳＤ信号発生装置３５で発生されたＯＳＤ信号と合成装置３７で合成され、映像増幅装置３８で増幅され、ＣＲＴ３９で表示されるような構成であり、ＣＲＴ３９で表示される映像設定状態は、前記制御装置４３で制御されるという作用を有する。また、前記信号選択装置３２により選択された音声信号は、音声制御装置３６に入力されて音声出力装置４４に出力するという構成であり、音声出力設定は前記制御装置４３で制御されるという作用を有する。また、前記制御装置４３は、電源制御装置３４を制御する構成である。また、コントロールパネル又はリモコン信号送信部４０は、前記制御装置４２又は前記制御装置４３に接続され、前記制御装置４２及び前記制御装置４３を制御するという作用を有する。
【００３３】
前記信号選択装置３２により前記再生装置の出力装置３０から出力された映像信号と音声信号が選択された状態で、且つ、前記再生装置４１の動作状態が静止状態（スチル状態）においては、前記再生装置４１の動作状態が静止状態であることを制御装置４２が認識し、バス２９により制御装置４３に知らせることにより、制御装置４３は、静止状態の継続時間をカウントし、任意の時間だけ継続している場合には、前記ＣＲＴ３９に静止画映像が受像されているので、ＣＲＴ蛍光面の焼け付き発生の恐れがあるため、映像コントロール装置３３を制御することにより、映像コントラストを低下させ、ＣＲＴ蛍光面の焼け付きを防止し、前記ＯＳＤ信号発生装置３５を制御し、ＣＲＴ保護状態になっていることを使用者に明示するためのメッセージを出力するという作用を有する。なお、前記映像コントロール装置３３を制御するのではなく、前記ＯＳＤ信号発生装置３５を制御し、ＣＲＴ蛍光面の焼け付きが発生しないように、ＣＲＴ画面上に適度な輝度と動きを有するＯＳＤ信号を表示することにより、ＣＲＴ蛍光面の焼け付きを防止するという方法もある。また、ＣＲＴ蛍光面の焼け付きを防止するために、前記ＢＬＫ装置３１を動作させ、前記再生装置の出力装置３０から出力された映像信号を遮断することにより、ＣＲＴ蛍光面の焼け付きを防止するという方法もある。
【００３４】
また、前記信号選択装置３２により前記再生装置の出力装置３０から出力された映像信号と音声信号が選択された状態で、且つ、前記再生装置４１の動作状態が停止状態または一時停止状態においては、前記再生装置４１の動作状態が停止状態または一時停止状態であることを制御装置４２が認識し、バス２９により制御装置４３に知らせることにより、制御装置４３は、停止状態または一時停止状態の継続時間をカウントし、任意の時間だけ継続している場合には、使用者がテレビモニター装置を使用していない状態であると判断し、電源制御装置３４および制御可能な各回路ブロックを制御することにより、任意の電源動作状態に制御し、任意の各装置に供給する電力を最低状態に制御することにより、省電力化を図るという作用を有する。
【００３５】
また、前記再生装置４１の動作状態が音楽ＣＤ再生状態においては、テレビモニター装置の機能のうち音声に関係する機能以外については、使用者にとって不必要である場合があるため、前記再生装置４１の動作状態が音楽ＣＤ再生状態であることをバス２９により制御装置４３に知らせることにより、制御装置４３は、映像コントロール装置３３や音声制御装置３６や電源制御装置３４等をそれぞれ制御することにより、音声に関係する機能以外の回路及び装置に供給する電力を最低状態に制御することにより、省電力化を図るという作用を有する。
【００３６】
（実施の形態４）
図４は請求項４に記載のテレビモニター装置のブロック構成図を示す。図４において再生装置の動作を制御する制御装置５４と表示デバイスを制御する制御装置５５とは、通信バス５６により接続され、相互に通信可能であり、互いの制御対象の動作状態が認識できる作用を有する。前記制御装置５５は、ＯＳＤ信号を発生する機能を有する。前記制御装置５４は、再生装置５３の動作を制御する作用を有する。前記再生装置の出力装置４５から出力された映像信号と音声信号は、前記制御装置５５により制御される信号選択装置４６に入力され、前記信号選択装置４６により選択された映像信号は、映像コントロール装置４７に入力され、任意の映像設定状態に制御され、前記制御装置５５で作成されたＯＳＤ信号と合成され、映像増幅装置４８で増幅され、ＣＲＴ４９で表示されるような構成であり、ＣＲＴ４９で表示される映像設定状態は、前記制御装置５５で制御されるという作用を有する。また、前記信号選択装置４６により選択された音声信号は、音声制御装置５７に入力されて音声出力装置５７に出力するという構成であり、音声出力設定は前記制御装置５５で制御されるという作用を有する。また、前記制御装置５５は、電源制御装置５１を制御する構成である。また、コントロールパネル又はリモコン信号送信部５２は、前記制御装置５４又は前記制御装置５５に接続され、前記制御装置５４及び前記制御装置５５を制御するという作用を有する。また、メモリ５０は、前記制御装置５４及び前記制御装置５５と通信バス５６で接続されており、各制御装置の制御状態を記憶する作用を有する。
【００３７】
前記信号選択装置４６により前記再生装置の出力装置４５から出力された映像信号と音声信号が選択された状態で、且つ、前記再生装置５３の動作状態が静止状態（スチル状態）においては、前記再生装置５３の動作状態が静止状態であることを制御装置５４が認識し、バス５６により制御装置５５に知らせることにより、制御装置５５は、静止状態の継続時間をカウントし、任意の時間だけ継続している場合には、前記ＣＲＴ４９に静止画映像が受像されているので、ＣＲＴ蛍光面の焼け付き発生の恐れがあるため、前記映像コントロール装置４７を制御することにより、映像コントラストを低下させ、ＣＲＴ蛍光面の焼け付きを防止し、前記制御装置５５でＯＳＤ信号を発生し、前記映像コントロール装置４７で合成することにより、ＣＲＴ保護状態になっていることを使用者に明示するためのメッセージを出力するという作用を有する。なお、前記映像コントロール装置４７を制御するのではなく、前記制御装置５５で発生するＯＳＤ信号を制御し、ＣＲＴ蛍光面の焼け付きが発生しないように、ＣＲＴ画面上に適度な輝度と動きを有するＯＳＤ信号を表示することにより、ＣＲＴ蛍光面の焼け付きを防止するという方法もある。
【００３８】
また、前記信号選択装置４６により前記再生装置の出力装置４５から出力された映像信号と音声信号が選択された状態で、且つ、前記再生装置５３の動作状態が停止状態または一時停止状態においては、前記再生装置５３の動作状態が停止状態または一時停止状態であることを制御装置５４が認識し、バス５６により制御装置５５に知らせることにより、制御装置５５は、停止状態または一時停止状態の継続時間をカウントし、任意の時間だけ継続している場合には、使用者がテレビモニター装置を使用していない状態であると判断し、電源制御装置５１および制御可能な各回路ブロックを制御することにより、任意の電源動作状態に制御し、任意の各装置に供給する電力を最低状態に制御することにより、省電力化を図るという作用を有する。なお、省電力化を図るため、テレビセット及び再生装置の電源を切る場合においては、再生装置が一時停止した場所をメモリ５０が記憶しておき、再度電源を投入する場合に前回一時停止した場所から再生を開始するという作用を有する。
【００３９】
また、前記再生装置５３の動作状態が音楽ＣＤ再生状態においては、テレビモニター装置の機能のうち音声に関係する機能以外については、使用者にとって不必要である場合があるため、前記再生装置５３の動作状態が音楽ＣＤ再生状態であることをバス５６により制御装置５５に知らせることにより、制御装置５５は、映像コントロール装置４７や音声制御装置５７や電源制御装置５１等をそれぞれ制御することにより、音声に関係する機能以外の回路及び装置に供給する電力を最低状態に制御することにより、省電力化を図るという作用を有する。
【００４０】
（実施の形態５）
図５は本発明のその他の実施の形態におけるテレビモニター装置のブロック構成図を示す。図５において再生装置６８の動作を制御する制御装置６９は、表示デバイスも制御し、ＯＳＤ信号を発生する機能も有する。前記再生装置６８の出力装置５９から出力された映像信号と音声信号は、前記制御装置６９により制御される信号選択装置６０に入力され、前記信号選択装置６０により選択された映像信号は、映像コントロール装置６１に入力され、任意の映像設定状態に制御され、前記制御装置６９で作成されたＯＳＤ信号と合成され、映像増幅装置６２で増幅され、ＣＲＴ６３で表示されるような構成であり、ＣＲＴ６３で表示される映像設定状態は、前記制御装置６９で制御されるという作用を有する。また、前記信号選択装置６０により選択された音声信号は、音声制御装置６４に入力されて音声出力装置６６に出力するという構成であり、音声出力設定は前記制御装置６９で制御されるという作用を有する。また、前記制御装置６９は、電源制御装置６５を制御する構成である。また、コントロールパネル又はリモコン信号送信部６７は、前記制御装置６９に接続され、前記制御装置６９を制御するという作用を有する。
【００４１】
前記信号選択装置６０により前記再生装置の出力装置５９から出力された映像信号と音声信号が選択された状態で、且つ、前記再生装置６８の動作状態が静止状態（スチル状態）においては、前記再生装置６８の動作状態が静止状態であることを制御装置６９が認識し、静止状態の継続時間をカウントし、任意の時間だけ継続している場合には、前記ＣＲＴ６３に静止画映像が受像されているので、ＣＲＴ蛍光面の焼け付き発生の恐れがあるため、前記映像コントロール装置６１を制御することにより、映像コントラストを低下させ、ＣＲＴ蛍光面の焼け付きを防止し、前記制御装置６９でＯＳＤ信号を発生し、前記映像コントロール装置６１で合成することにより、ＣＲＴ保護状態になっていることを使用者に明示するためのメッセージを出力するという作用を有する。なお、前記映像コントロール装置６１を制御するのではなく、前記制御装置６９で発生するＯＳＤ信号を制御し、ＣＲＴ蛍光面の焼け付きが発生しないように、ＣＲＴ画面上に適度な輝度と動きを有するＯＳＤ信号を表示することにより、ＣＲＴ蛍光面の焼け付きを防止するという方法もある。
【００４２】
また、前記信号選択装置６０により前記再生装置の出力装置５９から出力された映像信号と音声信号が選択された状態で、且つ、前記再生装置６８の動作状態が停止状態または一時停止状態においては、前記再生装置５３の動作状態が停止状態または一時停止状態であることを制御装置６９が認識し、停止状態または一時停止状態の継続時間をカウントし、任意の時間だけ継続している場合には、使用者がテレビモニター装置を使用していない状態であると判断し、電源制御装置６５および制御可能な各回路ブロックを制御することにより、任意の電源動作状態に制御し、任意の各装置に供給する電力を最低状態に制御することにより、省電力化を図るという作用を有する。
【００４３】
また、前記再生装置６８の動作状態が音楽ＣＤ再生状態においては、テレビモニター装置の機能のうち音声に関係する機能以外については、使用者にとって不必要である場合があるため、前記再生装置６８の動作状態が音楽ＣＤ再生状態であることを制御装置６９が認識することにより、制御装置６９は、映像コントロール装置６１や音声制御装置６４や電源制御装置６５等をそれぞれ制御することにより、音声に関係する機能以外の回路及び装置に供給する電力を最低状態に制御することにより、省電力化を図るという作用を有する。
【００４４】
以上の構成および動作により、請求項２〜５で得られる効果を少ない素子で軸源出来る効果を有する。
【００４５】
（実施の形態６）
図４は本発明のその他の実施の形態におけるテレビモニター装置のブロック構成図を示す。図４において実施の形態４においては、前記信号選択装置４６、映像コントロール装置４７、電源制御装置５１および音声制御装置５７は、表示デバイスを制御する制御装置５５により制御されていたが、同様の制御を再生装置の動作を制御する制御装置５４により行うことにより、信号選択装置４６、映像コントロール装置４７、映像増幅装置４８、ＣＲＴ４９、電源制御装置５１、音声制御装置５７、メモリ５０、制御装置５５により既に構成されているテレビモニター装置の制御装置５５の変更を行うことなく、追加する再生装置の制御装置５４により請求項１〜５の効果を得られるという作用を有する。
【００４６】
（実施の形態７）
図６は本発明のその他の実施の形態におけるテレビモニター装置のブロック構成図を示す。図６において再生装置７５の動作を制御する制御装置７９は、表示デバイスも制御し、ＯＳＤ信号を発生する機能も有する。前記再生装置７５の出力装置６６から出力された映像信号と音声信号は、前記制御装置７９により制御される信号選択装置７０に入力され、前記信号選択装置７０により選択された映像信号は、映像コントロール装置７１に入力され、任意の映像設定状態に制御され、前記制御装置７９で作成されたＯＳＤ信号と合成され、映像増幅装置７２で増幅され、液晶デバイス７３で表示されるような構成であり、液晶デバイス７３で表示される映像設定状態は、前記制御装置７９で制御されるという作用を有する。また、前記信号選択装置７０により選択された音声信号は、音声制御装置７４に入力されて音声出力装置７７に出力するという構成であり、音声出力設定は前記制御装置７９で制御されるという作用を有する。また、前記制御装置７９は、電源制御装置７６を制御する構成である。また、コントロールパネル又はリモコン信号送信部７８は、前記制御装置７９に接続され、前記制御装置７９を制御するという作用を有する。
【００４７】
前記信号選択装置７０により前記再生装置の出力装置６６から出力された映像信号と音声信号が選択された状態で、且つ、前記再生装置７５の動作状態が静止状態（スチル状態）においては、前記再生装置７５の動作状態が静止状態であることを制御装置７９が認識し、静止状態の継続時間をカウントし、任意の時間だけ継続している場合には、前記液晶デバイス７３に静止画映像が受像されているので、液晶素子の特性劣化の恐れがあるため、前記映像コントロール装置７１を制御することにより、映像ＢＬＫをかけ、液晶素子の特性劣化を防止し、前記制御装置７９でＯＳＤ信号を発生し、前記映像コントロール装置７１で合成することにより、ＣＲＴ保護状態になっていることを使用者に明示するためのメッセージを出力するという作用を有する。なお、前記映像コントロール装置７１を制御するのではなく、前記制御装置７９で発生するＯＳＤ信号を制御し、液晶素子の特性劣化が発生しないように、液晶Ｔ画面上に適度な輝度と動きを有するＯＳＤ信号を表示することにより、液晶素子の特性劣化を防止するという方法もある。
【００４８】
また、前記信号選択装置７０により前記再生装置の出力装置６６から出力された映像信号と音声信号が選択された状態で、且つ、前記再生装置７５の動作状態が停止状態または一時停止状態においては、前記再生装置７５の動作状態が停止状態または一時停止状態であることを制御装置７９が認識し、停止状態または一時停止状態の継続時間をカウントし、任意の時間だけ継続している場合には、使用者がテレビモニター装置を使用していない状態であると判断し、電源制御装置７６および制御可能な各回路ブロックを制御することにより、任意の電源動作状態に制御し、任意の各装置に供給する電力を最低状態に制御することにより、省電力化を図るという作用を有する。
【００４９】
また、前記再生装置７５の動作状態が音楽ＣＤ再生状態においては、テレビモニター装置の機能のうち音声に関係する機能以外については、使用者にとって不必要である場合があるため、前記再生装置７５の動作状態が音楽ＣＤ再生状態であることを制御装置７９が認識することにより、制御装置７９は、映像コントロール装置７１や音声制御装置７４や電源制御装置７６等をそれぞれ制御することにより、音声に関係する機能以外の回路及び装置に供給する電力を最低状態に制御することにより、省電力化を図るという作用を有する。
【００５０】
（実施の形態８）
本発明のその他の実施の形態におけるテレビモニター装置のブロック構成図を示す。図６において、前記実施の形態７で液晶デバイスであった７３をＣＲＴ方式のプロジェクターとすることにより、ＣＲＴ蛍光面の焼け付きを防止だけでなく、熱によるレンズコーティングの劣化も防止する作用も有する。
【００５１】
前記信号選択装置７０により前記再生装置の出力装置６６から出力された映像信号と音声信号が選択された状態で、且つ、前記再生装置７５の動作状態が停止状態や電源オフ状態等で映像出力として青単色を出力する場合においては、前記再生装置７５の動作状態が青単色を出力する場合であることを制御装置７９が認識し、青単色を出力する状態の継続時間をカウントし、任意の時間だけ継続している場合には、前記液晶デバイス７３に青単色映像が受像されているので、ＣＲＴ管面の熱によるレンズコーティングの劣化の恐れがあるため、前記映像コントロール装置７１を制御することにより、映像ＢＬＫをかけるか、又は、映像コントラストを低下させることにより、ＣＲＴ管面の熱によるレンズコーティングの劣化を防止し、前記制御装置７９でＯＳＤ信号を発生し、前記映像コントロール装置７１で合成することにより、ＣＲＴ及びレンズコーティング保護状態になっていることを使用者に明示するためのメッセージを出力するという作用を有する。なお、前記映像コントロール装置７１を制御するのではなく、前記制御装置７９で発生するＯＳＤ信号を制御し、ＣＲＴ管面の熱によるレンズコーティングの劣化が発生しないように、ＣＲＴ画面上に適度な輝度と動きを有するＯＳＤ信号を表示することにより、レンズコーティングの劣化を防止するという方法もある。
【００５２】
【発明の効果】
本発明によれば、テレビまたはモニターの表示デバイスであるＣＲＴ蛍光面の焼け付き、発光特性の劣化等を防止することができると共に、使用者にとって不必要な回路を動作させている場合には、前記不必要な回路の動作を制御し、省電力化を図ることができる。
【図面の簡単な説明】
【図１】本発明の実施の形態１のテレビモニター装置のブロック構成図
【図２】本発明の実施の形態２のテレビモニター装置のブロック構成図
【図３】本発明の実施の形態３のテレビモニター装置のブロック構成図
【図４】本発明の実施の形態４と６のテレビモニター装置のブロック構成図
【図５】本発明の実施の形態５のテレビモニター装置のブロック構成図
【図６】本発明の実施の形態７と８のテレビモニター装置のブロック構成図
【符号の説明】
１、２７、４２、５４  再生装置の制御装置
２、１５、４３、５５  表示装置の制御装置
３、１４、２９、５６  通信バス
４、１６、３０、４５、５９、６６  再生装置の出力装置
５、１７、３２、４６、６０、７０  信号選択装置
６、１８、３６、５７、６４、７４  音声制御装置
７、１９、３４、５１、６５、７６  電源制御装置
８、２１、３３、４７、６１、７１  映像コントロール装置
９、２６、４１、５３、６８、７５  再生装置
１０、２５、４０、５２、６７、７８  コントロールパネルまたはリモコン信号送信装置
１１、２３、３８、４８、６２、７２  映像増幅装置
１２、２４、３９、４９、６３  ＣＲＴ
１３、２８、４４、５８、６６、７７  音声出力装置
２０、３５  ＯＳＤ信号発生装置
２２、３７  ＯＳＤ信号合成装置
３１  ＢＬＫ装置
５０  記憶装置
６９、７９  制御装置
７３    液晶デバイス
【図１】
0003577845.tif 000002
【図２】
0003577845.tif 000003
【図３】
0003577845.tif 000004
【図４】
0003577845.tif 000005
【図５】
0003577845.tif 000006
【図６】
0003577845.tif 000007